Podtech/llm-jp-corpus-v4-ja_patent huggingface dataset:
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
被検眼に対して超音波を入射させるための振動子と、被検眼からの反射波を検出する振動検出センサと、を有する探触子と、
前記振動子から発せられる入射波と前記振動検出センサによって検出される反射波とを比較し演算処理により被検眼の眼圧を測定する演算部と、
被検眼に対する前記探触子のアライメント状態を検出するアライメント検出手段と、
前記アライメント検出手段の検出結果に基づいてアライメント状態の適否を判定するアライメント判定手段と、
前記アライメント判定手段の判定結果に基づいて測定開始のトリガ信号を発するトリガ信号発生手段と、
該トリガ信号の発生に基づいて前記探触子により超音波を被検眼に向けて出射する制御手段と、を備えることを特徴とする非接触式超音波眼圧計。
【請求項２】
請求項１の非接触式超音波眼圧計において、
前記振動子は超音波パルスを出射する振動子であって、前記振動検出センサは被検眼に入射された超音波パルスによる反射波を検出する振動検出センサであって、
前記制御手段は、該トリガ信号の発生に基づいて、被検眼の脈動による被検眼眼圧の変動情報が得られるように前記探触子により超音波パルスを連続的に被検眼に向けて出射し、
前記演算部は、連続的に出射される各超音波パルスに対応する演算処理を行うことを特徴する非接触式超音波眼圧計。
【請求項３】
請求項１又は２の非接触式超音波眼圧計において、
メモリと、モニタと、を備え、
前記制御手段は、出射された各超音波パルスによる反射波に対応する眼圧を求め、得られた各眼圧値を測定タイミングと関連付けて前記メモリに記憶させ、前記メモリに記憶されたデータに基づいて眼圧の経時的な変化を示す眼圧グラフを眼圧値と共に前記モニタに表示させることを特徴とする非接触式超音波眼圧計。
【請求項４】
請求項１〜３のいずれかの非接触式超音波眼圧計において、
前記制御手段は、前記探触子からの出力信号に基づいて被検者眼の脈動周期を検出し、検出された脈動周期に同期して前記探触子から超音波パルスを連続的に出射させることを特徴とする非接触式超音波眼圧計。
【手続補正２】
【補正対象書類名】明細書
【補正対象項目名】０００９
【補正方法】変更
【補正の内容】
【０００９】
（１）  被検眼に対して超音波を入射させるための振動子と、被検眼からの反射波を検出する振動検出センサと、を有する探触子と、前記振動子から発せられる入射波と前記振動検出センサによって検出される反射波とを比較し演算処理により被検眼の眼圧を測定する演算部と、被検眼に対する前記探触子のアライメント状態を検出するアライメント検出手段と、前記アライメント検出手段の検出結果に基づいてアライメント状態の適否を判定するアライメント判定手段と、前記アライメント判定手段の判定結果に基づいて測定開始のトリガ信号を発するトリガ信号発生手段と、該トリガ信号の発生に基づいて前記探触子により超音波を被検眼に向けて出射する制御手段と、を備えることを特徴とする。
（２）  （１）の非接触式超音波眼圧計において、前記振動子は超音波パルスを出射する振動子であって、前記振動検出センサは被検眼に入射された超音波パルスによる反射波を検出する振動検出センサであって、前記制御手段は、該トリガ信号の発生に基づいて、被検眼の脈動による被検眼眼圧の変動情報が得られるように前記探触子により超音波パルスを連続的に被検眼に向けて出射し、前記演算部は、連続的に出射される各超音波パルスに対応する演算処理を行うことを特徴する。
（３）  （１）又は（２）の非接触式超音波眼圧計において、メモリと、モニタと、を備え、前記制御手段は、出射された各超音波パルスによる反射波に対応する眼圧を求め、得られた各眼圧値を測定タイミングと関連付けて前記メモリに記憶させ、前記メモリに記憶されたデータに基づいて眼圧の経時的な変化を示す眼圧グラフを眼圧値と共に前記モニタに表示させることを特徴とする。
（４）  （１）〜（３）のいずれかの非接触式超音波眼圧計において、前記制御手段は、前記探触子からの出力信号に基づいて被検者眼の脈動周期を検出し、検出された脈動周期に同期して前記探触子から超音波パルスを連続的に出射させることを特徴とする。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
３次元医療用画像における空間的関係を伝達するための方法であって、
患者の少なくとも一部分の第１の診断用視野の第１の３次元描写を表示し（２４）、前記第１の３次元描写は第１の視角におけるものであり、
前記一部分の第２の診断用視野の指示を受信し（２６）、
前記第１の診断用視野から前記第２の診断用視野への移動を動画化し（２８）、前記移動は前記一部分の複数の中間の３次元描写を含み、前記一部分の前記中間の３次元描写の各々は、異なる中間の視角に対応し、
前記移動後の前記一部分の前記第２の診断用視野の第２の３次元描写を表示し（３０）、前記第２の３次元描写は、前記第１の視角とは異なる第２の視角におけるものであり、前記異なる中間の視角は、前記第１の視角及び前記第２の視角とは異なるものである、
ことを特徴とする方法。
【請求項２】
前記指示の受信（２６）は、前記第２の診断用視野を選択するユーザ入力を受信すること（２６）を含むことを特徴とする請求項１に記載の方法。
【請求項３】
前記第１の診断用視野の前記第１の３次元描写及び前記第２の診断用視野の前記第２の３次元描写の表示（２４、３０）は、標準診断用視野を表示することを含むことを特徴とする請求項１に記載の方法。
【請求項４】
前記動画化（２８）は、前記複数の中間の３次元描写を連続配列として生成することを含み、前記連続配列は、前記第１の視角から前記第２の視角へ漸進的に変化する前記異なる中間の視角における段階進行を描写し、前記中間の３次元描写の各々は、前記一部分が前記第１の３次元描写から前記第２の３次元描写へ回転して見えるように、前記第１の３次元描写及び前記第２の３次元描写の表示の時間よりも短い時間だけ表示されることを特徴とする請求項１に記載の方法。
【請求項５】
前記動画化（２８）は、前記第１の診断用視野と前記第２の診断用視野との間を回転する前記一部分を表示することを含むことを特徴とする請求項１に記載の方法。
【請求項６】
前記一部分は心臓を含み、前記移動は、第１の多平面再構成視野から第２の多平面再構成視野へのものであることを特徴とする請求項１に記載の方法。
【請求項７】
前記第１の多平面再構成視野及び前記第２の多平面再構成視野を含む少なくとも三つの多平面再構成視野を同時に表示し、前記第１の３次元描写、前記第２の３次元描写及び前記中間の３次元描写を前記少なくとも三つの多平面再構成視野と共に表示することをさらに含むことを特徴とする請求項６に記載の方法。
【請求項８】
前記移動は、前記第１の診断用視野から、前記第２の診断用視野を含む少なくとも一対の視野へのものであり、前記第２の診断用視野は、前記第１の診断用視野により描写された前記一部分の第１の下位部分を描写することを特徴とする請求項１に記載の方法。
【請求項９】
前記移動は、前記第１の３次元描写を前記第１の下位部分と第２の下位部分とに分割し、前記第１の下位部分及び前記第２の下位部分に関連する視角を別個に変化させることを含むことを特徴とする請求項８に記載の方法。
【請求項１０】
前記一部分は心臓を含み、前記第１の３次元描写は心臓の外部の側面視野であり、前記第１の下位部分は心臓の前部であり、前記第２の下位部分は心臓の後部であり、前記移動は、前記第２の３次元描写及び第３の３次元描写が前記前部の内部の視野及び前記後部の内部の視野を含むように、前記前部及び前記後部を回転させることを含むことを特徴とする請求項９に記載の方法。
【請求項１１】
３次元医療用画像における空間的関係を伝達するためのシステムであって、
患者のボリュームを描写するデータを蓄積するために動作可能なメモリ（１４）と、
前記データから前記ボリュームの複数の３次元描写を生成するために動作可能なプロセッサであって、前記３次元描写の各々は、前記ボリュームに関して異なる視角を有している、プロセッサ（１２）と、
前記複数の３次元描写のうちの初期の３次元描写を第１の期間に亘って静止表示させ、前記複数の３次元描写のうちの最終の３次元描写を第２の期間に亘って静止表示させるために動作可能、且つ、前記複数の３次元描写のうちの前記初期の３次元描写と前記最終の３次元描写との間の一連の３次元描写を表示させるために動作可能なタイマであって、前記一連の３次元描写の各々は、前記第１の期間及び前記第２の期間より短い時間に亘って表示される、タイマ（２０）と、
前記初期の３次元描写、前記一連の３次元描写及び前記最終の３次元描写を表示するために動作可能なディスプレイ（１６）と、
を備えていることを特徴とするシステム。
【請求項１２】
ユーザ入力（２２）をさらに備え、前記プロセッサ（１２）は、前記ユーザ入力のユーザ起動に応じて、前記初期の３次元描写から前記一連の３次元描写を経て前記最終の３次元描写まで、動画における移動をさせるために動作可能であることを特徴とする請求項１１に記載のシステム。
【請求項１３】
前記プロセッサ（１２）は、前記ボリュームの多平面再構成を生成するために動作可能であり、前記初期の３次元描写及び前記最終の３次元描写は、前記多平面再構成の第１の平面及び第２の平面に関連する各視角からの３次元レンダリングを含み、前記一連の３次元描写は、当該各視角の間の回転を含むことを特徴とする請求項１１に記載のシステム。
【請求項１４】
前記プロセッサ（１２）は、外部からの心臓の全視野としての前記初期の３次元描写と、心臓の第１の半分の内部視野を含む前記最終の３次元描写と、心臓を開口するように見える、少なくとも一つの軸に沿った約９０度の回転を含む前記一連の３次元描写とを生成するために動作可能であることを特徴とする請求項１１に記載のシステム。
【手続補正書】
【提出日】平成24年1月18日(2012.1.18)
【手続補正１】
【補正対象書類名】明細書
【補正対象項目名】０００６
【補正方法】変更
【補正の内容】
【０００６】
上述した特許文献１を用いることにより、一般的には適正な水分量まで掃気することが可能である。しかし、掃気途中に何らかの事情で掃気の強制停止された後のインピーダンス測定において、測定された内部抵抗の異常値により掃気処理が停止することがあった。このような事態が発生する一つの要因としてインピーダンス測定の原理上、燃料電池の発電量が少ない状態では、サイン波重畳能力が低く、サイン波の歪やノイズ等よる誤検出に起因していると考えられている。
【手続補正２】
【補正対象書類名】明細書
【補正対象項目名】０００７
【補正方法】変更
【補正の内容】
【０００７】
このようなことから、特に、間欠運転で発電が停止した状態からイグニッションスイッチをオフして掃気停止となった場合、エアコンプレッサの立ち上がり遅れも起因して、エアの供給が十分に行われず、インピーダンス測定による正確な内部抵抗の測定が行えない場合があった。
【手続補正書】
【提出日】平成24年2月1日(2012.2.1)
【手続補正１】
【補正対象書類名】明細書
【補正対象項目名】００６３
【補正方法】変更
【補正の内容】
【００６３】
正極は、特に制限されず、公知の正極が使用でき、例えば、正極集電体、正極活物質、導電剤および結着剤などで構成されたものが用いられる。正極集電体としては、例えば、アルミニウムやステンレス鋼などを例示することができる。正極活物質としては、例えば、ＬｉＮｉＶＯ4，ＬｉＣｏＰＯ4，ＬｉＣｏＶＯ4，ＬｉＣｒＭｎＯ4，ＬｉＣｒxＭｎ2-xＯ4（０＜ｘ＜０．５），ＬｉＣｒ0.2Ｎｉ0.4Ｍｎ1.4Ｏ4，ＬｉＰｔＯ3，ＬｉxＦｅ2（ＳＯ4）3，ＬｉＦｅＯ2，ＬｉＭｎＯ2，ＬｉＭｎ2Ｏ4，ＬｉＣｏＯ2，ＬｉＭｎ1.6Ｎｉ0.4Ｏ4，ＬｉＦｅＰＯ4，ＬｉＮｉ1/3Ｍｎ1/3Ｃｏ1/3Ｏ2，ＬｉＮｉ1/2Ｍｎ1/2Ｏ2，ＬｉＮｉ0.5Ｍｎ1.5Ｏ4，ＬｉＮｉ0.8Ｃｏ0.2Ｏ2，ＬｉＮｉＯ2，Ｌｉ1+x（Ｆｅ0.4Ｍｎ0.4Ｃｏ0.2）1-xＯ2などを用いることができる。これらの中でも、ＬｉＭｎ2Ｏ4，ＬｉＣｏＯ2，ＬｉＦｅＰＯ4，ＬｉＣｏＰＯ4，ＬｉＮｉＰＯ4，ＬｉＮｉ1/3Ｍｎ1/3Ｃｏ1/3Ｏ2およびＬｉＮｉ0.8Ｃｏ0.2Ｏ2，ＮＣＡ（＝ＬｉＮｉ0.8Ｃｏ0.15Ａｌ0.05Ｏ2）が好ましい。なお、高出力化のためには、４Ｖ以上の高電位を有する材料を正極材料として用いるのが好ましい。高電位を有する材料としては、例えば、ＬｉＣｏＯ2（４．２Ｖ）、ＬｉＣｒxＭｎ2-xＯ4（０＜ｘ＜０．５）（４．２Ｖ）、ＬｉＣｒ0.2Ｎｉ0.4Ｍｎ1.4Ｏ4（４．７Ｖ）、ＬｉＮｉ0.5Ｍｎ1.5Ｏ4（４．７Ｖ）、ＬｉＣｏＰＯ4（４．８Ｖ）、ＬｉＮｉＰＯ4（５．１Ｖ）、ＬｉＮｉ1/3Ｍｎ1/3Ｃｏ1/3Ｏ2（４．２Ｖ）、ＮＣＡ（＝ＬｉＮｉ0.8Ｃｏ0.15Ａｌ0.05Ｏ2）（４．２Ｖ）などが挙げられる。
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
異なる波長ピークを有する複数の波長選択部の組み合わせにより、発振波長を選択する波長可変レーザの制御方法であって、
発振波長を第１波長から第２波長へ変更する過程において、少なくとも１つの前記波長選択部の設定値を制御する場合において、
前記第１波長を実現するための第１設定値を、前記第２波長を実現するための第２設定値へ変更する場合における前記波長選択部の制御方向を確認する第１ステップと、
前記第１ステップによって得られた制御方向が、あらかじめ定められた制御方向とは逆の場合には、前記第２設定値よりも当該逆の方向に大きい値を準備設定値として、前記波長選択部に設定する第２ステップと、
前記第２ステップによって設定された前記準備設定値を前記第２設定値へ変更する第３ステップと、
を有することを特徴とする波長可変レーザの制御方法。
【請求項２】
異なる波長ピークを有する複数の波長選択部の組み合わせにより、発振波長を選択する波長可変レーザの制御方法であって、
発振波長を第１波長から第２波長へ変更する過程において、少なくとも１つの前記波長選択部の設定値を制御する場合において、
前記波長選択部に設定されている前記第１波長を実現するための第１設定値を、前記第２波長を実現するための第２設定値へ変更する場合における前記波長選択部の制御方向が何れであっても、あらかじめ定められた制御方向の起点となる初期設定値に変更する第１ステップと、
前記第１ステップにおいて前記波長選択部に設定された前記初期設定値を、前記第２波長を実現するための前記第２設定値へ変更する第２ステップと、
を有することを特徴とする波長可変レーザの制御方法。
【請求項３】
前記初期設定値は、前記波長選択部への制御入力を行わない値であることを特徴とする請求項２記載の波長可変レーザの制御方法。
【請求項４】
少なくともいずれかの前記波長選択部は、所定の間欠間隔でコルゲーションが設けられた導波層を備え、前記間欠間隔のうち少なくとも２つが異なっていることを特徴とする請求項１〜３のいずれかに記載の波長可変レーザの制御方法。
【請求項５】
少なくともいずれかの前記波長選択部は、所定の間欠間隔でコルゲーションが設けられた活性層を備え、前記間欠間隔は実質的に同一であることを特徴とする請求項１〜４のいずれかに記載の波長可変レーザの制御方法。
【手続補正２】
【補正対象書類名】明細書
【補正対象項目名】０００９
【補正方法】変更
【補正の内容】
【０００９】
本発明に係る他の波長可変レーザの制御方法は、異なる波長ピークを有する複数の波長選択部の組み合わせにより発振波長を選択する波長可変レーザの制御方法であって、発振波長を第１波長から第２波長へ変更する過程において少なくとも１つの波長選択部の設定値を制御する場合において、波長選択部に設定されている第１波長を実現するための第１設定値を、第２波長を実現するための第２設定値へ変更する場合における波長選択部の制御方向が何れであっても、あらかじめ定められた制御方向の起点となる初期設定値に変更する第１ステップと、第１ステップにおいて波長選択部に設定された初期設定値を、第２波長を実現するための第２設定値へ変更する第２ステップと、を有することを特徴とするものである。本発明に係る他の波長可変レーザの制御方法によれば、制御性良く発振波長を実現することができる。なお、初期設定値は、波長選択部への制御入力を行わない値とすることができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
ワーク搬送装置に沿って複数設けられた加工ユニットを備え、前記加工ユニットの加工ヘッドが交換可能なトランスファ式加工システムであって、
前記加工ユニットに着脱可能な加工ヘッドを搬送する産業用ロボットと、
前記加工ヘッドを載置するための加工ヘッドストッカと、を備えたことを特徴とするトランスファ式加工システム。
【請求項２】
第１のワークを加工する第１の複数の加工ユニットと、前記第１の複数の加工ユニットに順次ワークを搬送する第１のワーク搬送装置と、第２のワークを加工する第２の複数の加工ユニットと、前記第１のワーク搬送装置に平行に設けられ、前記第２の複数の加工ユニットに順次ワークを搬送する第２のワーク搬送装置と、を備え、前記第１および第２の加工ユニットの加工ヘッドが交換可能なトランスファ式加工システムであって、
前記第１および第２のワーク搬送装置の間に設けられた産業用ロボットと、
前記第１および第２のワーク搬送装置の間に設けられ、前記加工ヘッドを載置する加工ヘッドストッカと、を備え、
前記産業用ロボットによって、前記第１または第２の複数の加工ユニットに装着する加工ヘッドが交換されることを特徴とするトランスファ式加工システム。
【請求項３】
第１のワークを加工する第１の複数の加工ユニットと、前記第１の複数の加工ユニットに順次ワークを搬送する第１のワーク搬送装置と、第２のワークを加工する第２の複数の加工ユニットと、前記第１のワーク搬送装置に平行に設けられ、前記第２の複数の加工ユニットに順次ワークを搬送する第２のワーク搬送装置と、を備え、前記第１および第２の加工ユニットの加工ヘッドが交換可能なトランスファ式加工システムであって、
前記第１および第２のワーク搬送装置に平行に設けられた走行装置と、
前記走行装置に載置された産業用ロボットと、
前記走行装置の端部に設けられ、前記加工ヘッドを載置するための加工ヘッドストッカと、を備え、
前記産業用ロボットによって、前記第１または第２の複数の加工ユニットに装着する加工ヘッドが交換されることを特徴とするトランスファ式加工システム。
【請求項４】
互いに平行な第１の直線部と第２の直線部とを備えるループ状に構成されたワーク搬送装置と、前記ワーク搬送装置に沿って複数設けられた加工ユニットと、を備え、前記加工ユニットの加工ヘッドが交換可能なトランスファ式加工システムであって、
前記第１および第２のワーク搬送装置に平行に設けられた走行装置と、
前記走行装置に載置された産業用ロボットと、
前記走行装置の端部に設けられ、前記加工ヘッドを載置するための加工ヘッドストッカと、を備え、
前記産業用ロボットによって、前記第１または第２の複数の加工ユニットに装着する加工ヘッドが交換されることを特徴とするトランスファ式加工システム。
【請求項５】
前記産業用ロボットは、７軸ロボットであることを特徴とする請求項１乃至４のいずれか１項に記載のトランスファ式加工システム。
【請求項６】
前記産業用ロボットは、天吊りまたは棚置きされていることを特徴とする請求項１乃至４のいずれか１項に記載のトランスファ式加工システム。
【手続補正２】
【補正対象書類名】明細書
【補正対象項目名】０００４
【補正方法】変更
【補正の内容】
【０００４】
上記問題を解決するため、本発明は、次のように構成したのである。
請求項１に記載の発明は、ワーク搬送装置に沿って複数設けられた加工ユニットを備え、前記加工ユニットの加工ヘッドが交換可能なトランスファ式加工システムであって、前記加工ユニットに着脱可能な加工ヘッドを搬送する産業用ロボットと、前記加工ヘッドを載置するための加工ヘッドストッカと、を備えたことを特徴とするものである。
また、請求項２に記載の発明は、第１のワークを加工する第１の複数の加工ユニットと、前記第１の複数の加工ユニットに順次ワークを搬送する第１のワーク搬送装置と、第２のワークを加工する第２の複数の加工ユニットと、前記第１のワーク搬送装置に平行に設けられ、前記第２の複数の加工ユニットに順次ワークを搬送する第２のワーク搬送装置と、を備え、前記第１および第２の加工ユニットの加工ヘッドが交換可能なトランスファ式加工システムであって、前記第１および第２のワーク搬送装置の間に設けられた産業用ロボットと、前記第１および第２のワーク搬送装置の間に設けられ、前記加工ヘッドを載置する加工ヘッドストッカと、を備え、前記産業用ロボットによって、前記第１または第２の複数の加工ユニットに装着する加工ヘッドが交換されることを特徴とするものである。
また、請求項３に記載の発明は、第１のワークを加工する第１の複数の加工ユニットと、前記第１の複数の加工ユニットに順次ワークを搬送する第１のワーク搬送装置と、第２のワークを加工する第２の複数の加工ユニットと、前記第１のワーク搬送装置に平行に設けられ、前記第２の複数の加工ユニットに順次ワークを搬送する第２のワーク搬送装置と、を備え、前記第１および第２の加工ユニットの加工ヘッドが交換可能なトランスファ式加工システムであって、前記第１および第２のワーク搬送装置に平行に設けられた走行装置と、前記走行装置に載置された産業用ロボットと、前記走行装置の端部に設けられ、前記加工ヘッドを載置するための加工ヘッドストッカと、を備え、前記産業用ロボットによって、前記第１または第２の複数の加工ユニットに装着する加工ヘッドが交換されることを特徴とするものである。
また、請求項４に記載の発明は、互いに平行な第１の直線部と第２の直線部とを備えるループ状に構成されたワーク搬送装置と、前記ワーク搬送装置に沿って複数設けられた加工ユニットと、を備え、前記加工ユニットの加工ヘッドが交換可能なトランスファ式加工システムであって、前記第１および第２のワーク搬送装置に平行に設けられた走行装置と、前記走行装置に載置された産業用ロボットと、前記走行装置の端部に設けられ、前記加工ヘッドを載置するための加工ヘッドストッカと、を備え、前記産業用ロボットによって、前記第１または第２の複数の加工ユニットに装着する加工ヘッドが交換されることを特徴とするものである。
また、請求項５に記載の発明は、前記産業用ロボットは、７軸ロボットであることを特徴とするものである。
また、請求項６に記載の発明は、前記産業用ロボットは、天吊りまたは棚置きされていることを特徴とするものである。
【手続補正書】
【提出日】平成22年12月15日(2010.12.15)
【手続補正１】
【補正対象書類名】明細書
【補正対象項目名】００１８
【補正方法】変更
【補正の内容】
【００１８】
調製されたEPDM組成物の架橋は、例えば射出成形機、圧縮成形機、加硫プレス等を用いて基質上にこの組成物を適用し、一般に約150〜200℃で約3〜60分間加熱することによって行われ、加硫時に基質と弾性部とが一体化されたゴム基質複合体が得られる。さらに必要に応じて、約150〜250℃で約0.5〜24時間程度オーブン内で加熱する二次加硫も行われる。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
印刷枚葉紙に画線部に即した接着剤を付けるための少なくとも１つの付け装置（１）及び画線形成層を担体フィルム（５）から印刷枚葉紙に転写するための箔押し装置（２）を備えた、画線形成層を前記担体フィルム（５）から印刷枚葉紙に転写するための装置であって、前記箔押し装置（２）は圧胴（４）及びプレスローラ（３）を備え、該圧胴（４）と該プレスローラ（３）とにより共通の転写間隙（６）が形成されており、また、前記プレスローラ（３）の周囲に前記担体フィルム（５）をガイドすることができ、このとき、該担体フィルム（５）は、箔層の側を前記圧胴（４）上で運ばれる印刷枚葉紙の上に重ねて圧力をかけられ、該印刷枚葉紙と一緒に前記プレスローラ（３）と前記圧胴（４）との間にある前記転写間隙（６）の間で導かれ、そして前記印刷枚葉紙が前記転写間隙（６）から排出されると、前記画線形成層は、接着剤塗布領域において画線部に即した領域が前記印刷枚葉紙に接着されて前記担体フィルム（５）からはがれる、前記画線形成層を前記担体フィルム（５）から前記印刷枚葉紙に転写するための装置において、
前記付け装置（１）に、ドクター装置と組み合わされた接着剤容器を備えた接着剤供給装置が設けられていて、前記ドクター装置が、チャンバドクターとして構成されていること、及び、前記チャンバドクターに、接着剤転写及び／または接着剤付けのためのアニロックスローラが割り当てられていることを特徴とする装置。
【請求項２】
印刷枚葉紙に画線部に即した接着剤を付けるための少なくとも１つの付け装置（１）及び画線形成層を担体フィルム（５）から印刷枚葉紙に転写するための箔押し装置（２）を備えた、画線形成層を前記担体フィルム（５）から印刷枚葉紙に転写するための装置であって、前記箔押し装置（２）は圧胴（４）及びプレスローラ（３）を備え、該圧胴（４）と該プレスローラ（３）とにより共通の転写間隙（６）が形成されており、また、前記プレスローラ（３）の周囲に前記担体フィルム（５）をガイドすることができ、このとき、該担体フィルム（５）は、箔層の側を前記圧胴（４）上で運ばれる印刷枚葉紙の上に重ねて圧力をかけられ、該印刷枚葉紙と一緒に前記プレスローラ（３）と前記圧胴（４）との間にある前記転写間隙（６）の間で導かれ、そして前記印刷枚葉紙が前記転写間隙（６）から排出されると、前記画線形成層は、接着剤塗布領域において画線部に即した領域が前記印刷枚葉紙に接着されて前記担体フィルム（５）からはがれる、前記画線形成層を前記担体フィルム（５）から前記印刷枚葉紙に転写するための装置において、
前記付け装置（１）に、ドクター装置と組み合わされた接着剤容器を備えた接着剤供給装置が設けられていて、前記ドクター装置が、アニロックスローラに当接しているコーターブレードを備えたオープンなインキ容器／接着剤容器として構成されているか、又は、後置されたロールドクターに接続した、アニロックスローラに当接しているコーターブレードを備えるオープンなインキ容器／接着剤容器として構成されていることを特徴とする装置。
【請求項３】
前記接着剤供給装置が、オフセット印刷装置のプレート胴（１２）に割り当てられていることを特徴とする、請求項１または２に記載の装置。
【請求項４】
前記接着剤供給装置が、印刷機のニスモジュールの版胴（３）に割り当てられていることを特徴とする、請求項１または２に記載の装置。
【請求項５】
前記接着剤供給装置が、カートリッジシステムまたは固定式のインキ送り出し装置を備えた接着剤ディスペンサを備えていることを特徴とする、請求項１から４のいずれか一項に記載の装置。
【請求項６】
印刷枚葉紙に画線部に即した接着剤を付けるための少なくとも１つの付け装置（１）及び画線形成層を担体フィルム（５）から印刷枚葉紙に転写するための箔押し装置（２）を備えた、画線形成層を前記担体フィルム（５）から印刷枚葉紙に転写するための装置であって、箔押し装置（２）は圧胴（４）及びプレスローラ（３）を備え、該圧胴（４）と該プレスローラ（３）とにより共通の転写間隙（６）が形成されており、また、前記プレスローラ（３）の周囲に前記担体フィルム（５）をガイドすることができ、このとき、該担体フィルム（５）は、箔層の側を前記圧胴（４）上で運ばれる印刷枚葉紙の上に重ねて圧力をかけられ、該印刷枚葉紙と一緒に前記プレスローラ（３）と前記圧胴（４）との間にある前記転写間隙（６）の間で導かれ、そして前記印刷枚葉紙が前記転写間隙（６）から排出されると、前記画線形成層は、接着剤塗布領域において画線部に即した領域が前記印刷枚葉紙に接着されて前記担体フィルム（５）からはがれる、前記画線形成層を前記担体フィルム（５）から前記印刷枚葉紙に転写するための装置において、
付け装置（１）が、アニロックスインキ装置（６１、６２、６３）のように構成された接着剤供給装置を備えており、接着剤パターンを作成するためにプレート胴（１２）上に平版印刷プレートが取り付けられていることを特徴とする装置。
【請求項７】
印刷枚葉紙に画線部に即した接着剤を付けるための少なくとも１つの付け装置（１）及び画線形成層を担体フィルム（５）から印刷枚葉紙に転写するための箔押し装置（２）を備えた、画線形成層を前記担体フィルム（５）から印刷枚葉紙に転写するための装置であって、前記箔押し装置（２）は圧胴（４）及びプレスローラ（３）を備え、外圧胴（４）と該プレスローラ（３）とにより共通の転写間隙（６）が形成されており、また、該プレスローラ（３）の周囲に前記担体フィルム（５）をガイドすることができ、このとき、該担体フィルム（５）は、箔層の側を前記圧胴（４）上で運ばれる印刷枚葉紙の上に重ねて圧力をかけられ、該印刷枚葉紙と一緒に前記プレスローラ（３）と前記圧胴（４）との間にある転写間隙（６）の間で導かれ、そして前記印刷枚葉紙が前記転写間隙（６）から排出されると、前記画線形成層は、接着剤塗布領域において画線部に即した領域が前記印刷枚葉紙に接着されて前記担体フィルム（５）からはがれる、前記画線形成層を前記担体フィルム（５）から前記印刷枚葉紙に転写するための装置において、
付け装置（１）が、水なしオフセット印刷法に基づいて実施された接着剤供給装置を備えており、接着剤パターンを作成するために前記プレート胴（１２）上に、湿し水供給を行わずに印刷版が取り付けられていることを特徴とする装置。
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールの停止状態において役毎に予め定められた入賞形態を示す図柄組合せが入賞判定ライン上に表示されたことに基づいて、役が入賞するように設けられた遊技機であって、
第１の小役、第２の小役、およびリプレイを含む複数種類の役の当否を決定する内部抽選を遊技毎に行い、内部抽選で当選した役に対応する抽選フラグを当選状態に設定する内部抽選手段と、
前記複数のリールを遊技毎に回転させるとともに、停止操作を契機として、当該停止操作の態様と前記抽選フラグの設定状態とに基づいて前記複数のリールを停止させるリール制御手段と、
前記第１の小役あるいは前記第２の小役の入賞に伴い、入賞した役に設定された配当に応じた数の遊技媒体を払出装置に払い出させる払出制御手段と、
前記リプレイの入賞に伴い、遊技者の所有する遊技媒体を要さずに遊技媒体を自動投入するリプレイ処理手段と、
第１遊技状態と第１遊技状態より遊技者に有利な第２遊技状態とを含む複数種類の遊技状態の間で遊技状態を移行させ、第２遊技状態を遊技媒体の払出数の合計に応じて終了させる遊技状態移行制御手段とを備え、
前記第１の小役の配当は、前記第２の小役の配当より高くなるように設定されており、
前記内部抽選手段が、
前記第１遊技状態および前記第２遊技状態において、前記リプレイの当否を決定する内部抽選を行うとともに、前記第２遊技状態では、前記第１の小役および前記第２の小役に係る抽選フラグを内部抽選の結果に関わらず当選状態に設定し、
前記リール制御手段が、
前記第２遊技状態における前記リプレイが当選していない遊技では、前記第１の小役の配当が前記第２の小役の配当より高いことに基づいて、前記第１の小役を前記第２の小役に優先して入賞させるように前記複数のリールを停止させ、
前記第２遊技状態における前記リプレイが当選した遊技では、停止操作の態様が特定の態様であることを条件に、前記リプレイおよび前記第１の小役の入賞を回避して前記第２の小役を入賞させるように前記複数のリールを停止させることを特徴とする遊技機。
【請求項２】
請求項１において、
前記第２遊技状態において前記リプレイが当選した遊技において、前記第２の小役を入賞させることができることを示唆する演出を、当該遊技における停止操作が許可される前に実行する演出制御手段を含むことを特徴とする遊技機。
【請求項３】
請求項１または２において、
前記第２の小役の入賞に伴う遊技媒体の払出数が、前記第２遊技状態の１回の遊技を行う際に必要となる遊技媒体の投入数よりも多くなるように設定され、
前記第２遊技状態の終了条件となる遊技媒体の払出数が、前記第２の小役の入賞に伴う遊技媒体の払出数より多く、かつ前記第２遊技状態において所定回数の前記第２の小役の入賞が達成されると、所定回数の前記第２の小役の入賞が達成されなかった場合よりも前記第２遊技状態の遊技回数が多くなるように設定されていることを特徴とする遊技機。
【請求項４】
請求項１または２において、
前記第２の小役の入賞に伴う遊技媒体の払出数は前記第２遊技状態の１回の遊技を行う際に必要となる遊技媒体の投入数よりも多くなるように設定されており、
前記第２遊技状態の終了条件となる遊技媒体の払出数が、前記第２の小役の入賞に伴う遊技媒体の払出数より多く、かつ前記第２遊技状態において前記第２の小役が１回入賞すると、前記第２の小役が１回も入賞しなかった場合よりも前記第２遊技状態の遊技回数が１回分だけ多くなるように設定されていることを特徴とする遊技機。
【請求項５】
請求項１〜４のいずれかにおいて、
前記リール制御手段が、
前記第２遊技状態における前記リプレイが当選した遊技では、停止操作の態様が前記特定の態様とは異なる場合に、前記第１の小役が入賞可能となるように前記複数のリールを停止させることを特徴とする遊技機。
【請求項６】
請求項１〜５のいずれかにおいて、
前記第２の小役の入賞形態を示す図柄組合せは、前記複数のリールのうち特定のリールの表示図柄として第１図柄を含み、
前記リプレイの入賞形態を示す図柄組合せは、前記特定のリールの表示図柄として第２図柄を含み、
前記リール制御手段が、
前記第１遊技状態では、前記複数のリールの全てを、停止操作の時点から第１の期間内に当該停止操作に対応するリールを停止させる通常制御状態に設定し、
前記第２遊技状態では、前記複数のリールのうち前記特定のリールを、停止操作の時点から第１の期間より短い第２の期間内に当該停止操作に対応するリールを停止させる特殊制御状態に設定し、
前記通常制御状態に設定されたリールについては、停止操作の時点において前記第１の期間に相当する引き込み範囲内に、内部抽選で当選した役の入賞形態を示す図柄組合せを構成する図柄が存在する場合に、当該図柄が入賞判定ライン上に表示されるように停止させ、
前記特殊制御状態に設定されたリールについては、停止操作の時点において前記第２の期間に相当する引き込み範囲内に、内部抽選で当選した役の入賞形態を示す図柄組合せを構成する図柄が存在する場合に、当該図柄が入賞判定ライン上に表示されるように停止させ、
前記第２の小役の入賞形態を示す図柄組合せおよび前記リプレイの入賞形態を示す図柄組合せは、前記複数のリールのうち前記特定のリール以外のリールに関する表示図柄が同一であって、
前記特定のリールの外周面では、前記第１図柄と、前記第２図柄とが、前記第２の期間に相当する引き込み範囲内に存在しないように離間して配列されていることを特徴とする遊技機。
【請求項７】
請求項１〜６のいずれかにおいて、
所定条件下で内部抽選における前記リプレイの当選確率を変動させるリプレイ抽選状態制御手段をさらに備え、
前記内部抽選手段が、
前記第１遊技状態における内部抽選で、前記第２遊技状態への移行契機となる役であるボーナスの当否を決定しており、
前記リプレイ抽選状態制御手段が、
前記ボーナスの当選時における前記リプレイの当選確率を少なくとも前記第２遊技状態が終了するまで維持することを特徴とする遊技機。
【手続補正２】
【補正対象書類名】明細書
【補正対象項目名】発明の名称
【補正方法】変更
【補正の内容】
【発明の名称】遊技機
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
産婦患者及び胎児に関する産婦バイタルサイン及び胎児バイタルサインを監視する方法であって、
産婦患者の腹部の上に複数の電極を配置する工程と、
前記複数の電極を介して所定の時間区分にわたって産婦患者から複数の別々の入力波形を取得する工程と、
前記入力波形に対して前記時間区分にわたって独立成分解析（ＩＣＡ）を実施し複数のＩＣＡ出力波形を作成する工程であって、一連の連続した時間区分の各時間区分ごとに前記入力波形に対してＩＣＡを実施する、工程と、
前記ＩＣＡ出力波形のうちのいずれが産婦信号源から発せられたものでありかつ前記ＩＣＡ出力波形のうちのいずれが胎児信号源から発せられたものであるかを、一連の連続した時間区分の各時間区分ごとに独立に決定する工程と、
産婦ＥＣＧ信号を含んだＩＣＡ出力波形処理し産婦患者に関する生理学的情報を作成する工程と、
胎児ＥＣＧ信号を含んだＩＣＡ出力波形を処理し胎児に関する生理学的情報を作成する工程と、
を含む方法。
【請求項２】
どのＩＣＡ出力波形が産婦ＥＣＧ信号を含みかつどのＩＣＡ出力波形が胎児ＥＣＧ信号を含むかを決定する前記工程は、
ＩＣＡ出力波形のそれぞれごとに離散形フーリエ変換（ＤＦＴ）を計算する工程と、
ＤＦＴのそれぞれ内でエネルギーピークを特定する工程と、
ＤＦＴのそれぞれ内のエネルギーピークを産婦信号に関する典型的なプロフィール及び胎児信号に関する典型的なプロフィールと比較する工程と、
産婦ＥＣＧ信号及び胎児ＥＣＧ信号に関する典型的なプロフィールと最も密に対応するＩＣＡ出力波形を選択する工程と、
を含む、請求項１に記載の方法。
【請求項３】
前記産婦ＥＣＧ信号に関する典型的なプロフィール及び前記胎児ＥＣＧ信号に関する典型的なプロフィールは産婦ＥＣＧ信号及び胎児ＥＣＧ信号に関する以前の時間区分からのＤＦＴに基づいている、請求項２に記載の方法。
【請求項４】
産婦ＥＣＧ信号に関する典型的なプロフィールと最も密に対応するＩＣＡ波形をメモリ内の保存する工程と、
胎児ＥＣＧ信号に関する典型的なプロフィールと最も密に対応するＩＣＡ波形をメモリ内の保存する工程と、
前記保存されたＩＣＡ波形を利用して患者及び胎児の生理学的情報を作成する工程と、
をさらに含む請求項２に記載の方法。
【請求項５】
前記所定の時間区分は産婦患者の心拍動間の持続時間を超える持続時間を有する、請求項１に記載の方法。
【請求項６】
産婦患者及び胎児から導出される前記生理学的情報は少なくとも心拍数を含む、請求項１に記載の方法。
【請求項７】
ＩＣＡ出力波形のうちのいずれが子宮活動信号を含むかを検出する工程と、
前記子宮活動信号を含むＩＣＡ出力波形を処理して子宮収縮に関する情報を作成する工程と、
をさらに含む請求項２に記載の方法。
【請求項８】
どのＩＣＡ出力波形が子宮活動信号を含むかを決定する前記工程は、
各ＩＣＡ出力波形ごとのＤＦＴに関するエネルギーピークを以前の時間区分からの子宮活動信号より決定したエネルギーピークと比較する工程と、
既知の子宮活動信号と最も密に対応するＩＣＡ出力波形を選択する工程と、
を含む、請求項７に記載の方法。
【請求項９】
産婦患者及び胎児に関する産婦バイタルサイン及び胎児バイタルサインを監視する方法であって、
産婦患者の腹部の上に複数の電極を配置する工程と、
前記複数の電極を介して所定の時間区分にわたって産婦患者から複数の別々の入力波形を取得する工程と、
目下の時間区分における入力波形に対して独立成分解析（ＩＣＡ）を実施し複数のＩＣＡ出力波形を作成する工程と、
以前の時間区分のうちの１つからのベンチマーク事象に基づいてテンプレートを決定する工程と、
前記テンプレートとの比較に基づいてＩＣＡ出力波形のうちのいずれが胎児ＥＣＧ信号を含むかを決定する工程と、
胎児ＥＣＧ信号を含むＩＣＡ出力波形を処理して胎児に関する生理学的情報を作成する工程と、
以前の時間区分のうちの１つからの第２のベンチマーク事象を用いて第２のテンプレートを決定する工程と、
前記第２のテンプレートとの比較に基づいてＩＣＡ出力波形のうちのいずれが産婦ＥＣＧ信号を含むかを決定する工程と、
産婦ＥＣＧ信号を含むＩＣＡ出力波形を処理して産婦患者に関する生理学的情報を作成する工程と、
を含む方法。
【請求項１０】
前記テンプレートは前記以前の時間区分のうちの１つからの胎児ＥＣＧ信号を含むＩＣＡ出力波形からの既知のＱＲＳ現象を含む、請求項９に記載の方法。
【請求項１１】
目下の時間区分の対する、前記ＩＣＡ出力波形のうちのいずれが胎児ＥＣＧ信号を含むかを決定する工程が、
前記既知のＱＲＳ現象を、前記ＩＣＡ出力波形のそれぞれと相関させる工程と、
前記胎児ＥＣＧ信号を含む前記ＩＣＡ出力波形のうちから、最も高い周期的な相関出力を含む前記ＩＣＡ出力波形を選択する工程と、
を含む請求項１０に記載の方法。
【請求項１２】
前記第２のテンプレートは前記以前の時間区分からの前記産婦ＥＣＧ信号からの前記ＩＣＡ出力波形に対する既知の産婦ＱＲＳ現象を含む、請求項１０に記載の方法。
【請求項１３】
目下の時間区分の対する、前記ＩＣＡ出力波形のうちのいずれが産婦ＥＣＧ信号を含むかを決定する工程が、
前記既知の産婦ＱＲＳ現象を、前記ＩＣＡ出力波形のそれぞれと相関させる工程と、
前記産婦ＥＣＧ信号を含む前記ＩＣＡ出力波形のうち相関性が最も高いものを含む前記ＩＣＡ出力波形を選択する工程と、
を含む請求項１２に記載の方法。
【請求項１４】
前記目下の時間区分に基づいて、前記ベンチマーク事象と関連するテンプレート現象を更新する工程を、さらに含む請求項９に記載の方法。
【請求項１５】
前記ベンチマーク事象が、前記胎児ＥＣＧ信号と前記産婦ＥＣＧ信号の双方に対するベンチマーク事象を含む、請求項９に記載の方法。
【請求項１６】
最も高い周期的な相関結果を生成する前記ＩＣＡ出力波形を保存する工程と、
保存された前記ＩＣＡ出力波形を用いて、前記胎児の前記生理学的情報を生成する工程と、
を含む請求項９に記載の方法。
【請求項１７】
最も高い周期的な相関結果を生成する前記ＩＣＡ出力波形を保存する工程と、
保存された前記ＩＣＡ出力波形を用いて、前記産婦患者の前記生理学的情報を生成する工程と、
を含む請求項９に記載の方法。
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
衣類を収容する洗濯兼脱水槽と、この洗濯兼脱水槽を内包して洗濯水を溜める外槽と、給水弁から前記外槽へ水を供給するための給水経路を備えた洗濯機において、前記給水経路の途中に水状態検出部を有し、前記水状態検出部の出水口が、前記給水経路の前記外槽への注水口よりも高い位置にあり、しかも、前記給水経路は、前記水状態検出部の前記出水口からいったん上方へ伸びてから下方へ転じて前記注水口に至ることを特徴とする洗濯機。
【請求項２】
請求項１において、前記水状態検出部の出水口が、前記水状態検出部の入水口よりも低い位置にあることを特徴とする洗濯機。
【請求項３】
請求項２において、前記給水経路は途中で第１給水経路と第２給水経路とに分岐し、前記第１給水経路は前記水状態検出部を経由して前記外槽へ水を供給し、前記第２給水経路は前記水状態検出部を経由せずに前記第１給水経路とは別の場所から前記外槽へ水を供給することを特徴とする洗濯機。
【手続補正２】
【補正対象書類名】明細書
【補正対象項目名】０００７
【補正方法】変更
【補正の内容】
【０００７】
上記目的を達成するために、本発明は、衣類を収容する洗濯兼脱水槽と、この洗濯兼脱水槽を収容して洗濯水を溜める外槽と、給水弁から前記外槽へ水を供給するための給水経路を備えた洗濯機において、前記給水経路の途中に水状態検出部を設け、前記水状態検出部の出水口が、前記給水経路の前記外槽への注水口よりも高い位置にあり、しかも、前記給水経路は、前記水状態検出部の前記出水口からいったん上方へ伸びてから下方へ転じて前記注水口に至るようにした。
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
タイムトリガネットワークを有する車内ネットワークにおいて通信データを中継する車内データ中継装置であって、
前記車内ネットワークに通信データを送信する送信部と、
前記車内ネットワークから通信データを受信する受信部と、
当該車内データ中継装置が中継すべきトラフィック量に合わせて、当該車内データ中継装置が使用する前記タイムトリガネットワークのスロット量、または当該車内データ中継装置が使用する前記タイムトリガネットワークのスロットＩＤを変更するネットワーク設定変更部と、
前記タイムトリガネットワークのスロットに割り当てられた処理を実行するタイミングを前記スロットに同期させる処理タイミング決定部と、
前記送信部が前記通信データを中継する中継処理部と、
を備えることを特徴とする車内データ中継装置。
【請求項２】
前記ネットワーク設定変更部は、
前記タイムトリガネットワークを介して通信する周波数を上げるか、または前記タイムトリガネットワークのスロット毎に割り当てる時間を短くして、前記タイムトリガネットワークのスロット量を変更することにより、当該車内データ中継装置が使用する前記タイムトリガネットワークのスロット量を変更する
ことを特徴とする請求項１記載の車内データ中継装置。
【請求項３】
前記ネットワーク設定変更部は、
前記タイムトリガネットワークのスロット量を変更する前に、前記タイムトリガネットワークに接続されている他通信装置宛に、前記タイムトリガネットワークのスロット量を変更するよう指示する変更指示データを送信し、
その後、前記他通信装置宛に、通信機能を初期化するよう指示する初期化指示データを送信する
ことを特徴とする請求項２記載の車内データ中継装置。
【請求項４】
前記ネットワーク設定変更部は、前記変更指示データ内に、
前記タイムトリガネットワークのスロット量を指示するデータ、前記タイムトリガネットワークの伝送速度を指示するデータ、および前記タイムトリガネットワークの通信周期を指示するデータを記述し、前記他通信装置宛に指示する
ことを特徴とする請求項３記載の車内データ中継装置。
【手続補正２】
【補正対象書類名】明細書
【補正対象項目名】発明の名称
【補正方法】変更
【補正の内容】
【発明の名称】車内データ中継装置
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
内線の電話網との通信確立時に電話番号の処理を行う電話番号処理装置であって、
外線の電話網の電話番号とシステム番号とが一意に対応づけられた外線情報データを記憶する記憶手段と、
前記内線の電話網の内線電話から、システム番号の問い合わせの要求と、着信先の電話番号である着信先番号とを受信する受信手段と、
前記外線情報データから前記受信した着信先番号に対応づけられているシステム番号を検索する検索手段と、
前記問い合わせの要求による通信が切断されたあとで、前記内線電話に前記検索されたシステム番号を含む情報を発信元番号として着信すべく送信する送信手段と、
を備えることを特徴とする電話番号処理装置。
【請求項２】
前記内線電話から前記問い合わせの要求による通信を終了する指示を受け付ける受付手段をさらに備え、
前記受け付けた指示に応じて、前記問い合わせの要求による通信を切断することを特徴とする請求項１に記載の電話番号処理装置。
【請求項３】
前記内線電話により前記送信手段により送信された着信に対する応答がなされたあとで、前記送信された着信による通信を切断する切断手段をさらに備えることを特徴とする請求項１または請求項２に記載の電話番号処理装置。
【請求項４】
前記内線電話により前記送信手段により送信された着信に対する応答がなされたあとで、前記受信した着信先番号に着信するべく要求する着信要求手段をさらに備えることを特徴とする請求項１乃至請求項３のいずれか１項に記載の電話番号処理装置。
【請求項５】
前記問い合わせの要求による通信の切断を促すための音声を再生する音声再生手段をさらに備えることを特徴とする請求項１乃至請求項４のいずれか１項に記載の電話番号処理装置。
【請求項６】
内線の電話網との通信確立時に電話番号の処理を行い、外線の電話網の電話番号とシステム番号とが一意に対応づけられた外線情報データを記憶する記憶手段を備える電話番号処理装置の制御方法であって、
前記電話番号処理装置の受信手段が、前記内線の電話網の内線電話から、システム番号の問い合わせの要求と、着信先の電話番号である着信先番号とを受信する受信工程と、
前記電話番号処理装置の検索手段が、前記外線情報データから前記受信した着信先番号に対応づけられているシステム番号を検索する検索工程と、
前記電話番号処理装置の送信手段が、前記問い合わせの要求による通信が切断されたあとで、前記内線電話に前記検索されたシステム番号を含む情報を発信元番号として着信すべく送信する送信工程と、
を含むことを特徴とする制御方法。
【請求項７】
内線の電話網との通信確立時に電話番号の処理を行い、外線の電話網の電話番号とシステム番号とが一意に対応づけられた外線情報データを記憶する記憶手段を備える電話番号処理装置で読み取り実行可能なプログラムであって、
前記電話番号処理装置を、
前記内線の電話網の内線電話から、システム番号の問い合わせの要求と、着信先の電話番号である着信先番号とを受信する受信手段と、
前記外線情報データから前記受信した着信先番号に対応づけられているシステム番号を検索する検索手段と、
前記問い合わせの要求による通信が切断されたあとで、前記内線電話に前記検索されたシステム番号を含む情報を発信元番号として着信すべく送信する送信手段と、
して機能させることを特徴とするプログラム。
【手続補正２】
【補正対象書類名】明細書
【補正対象項目名】発明の名称
【補正方法】変更
【補正の内容】
【発明の名称】電話番号処理装置、および制御方法、プログラム。
【手続補正３】
【補正対象書類名】明細書
【補正対象項目名】００１１
【補正方法】変更
【補正の内容】
【００１１】
このような課題に対して、本出願人により、内線の電話網から外線の電話番号に電話発信させる際に、ＳＩＰサーバ（電話番号変換装置）を用いて外線の発信先の電話番号に対してユニークなシステム番号を発番する仕組みが提案されている。
【手続補正４】
【補正対象書類名】明細書
【補正対象項目名】００１３
【補正方法】変更
【補正の内容】
【００１３】
しかしながら、この手法では、単にシステム番号の問い合わせだけを行う仕組みまでは提案されていない。
【手続補正５】
【補正対象書類名】明細書
【補正対象項目名】００１４
【補正方法】変更
【補正の内容】
【００１４】
そこで、本発明は、内線の電話網の利用者が、外線の電話網に発信するためのシステム番号を問い合わせすると、問い合わせ元である内線の電話網の利用者の内線電話が問い合わせしたシステム番号を受信できる仕組みを提供する事を目的とする。
【手続補正６】
【補正対象書類名】明細書
【補正対象項目名】００１５
【補正方法】変更
【補正の内容】
【００１５】
本願発明は、内線の電話網との通信確立時に電話番号の処理を行う電話番号処理装置であって、外線の電話網の電話番号とシステム番号とが一意に対応づけられた外線情報データを記憶する記憶手段と、前記内線の電話網の内線電話から、システム番号の問い合わせの要求と、着信先の電話番号である着信先番号とを受信する受信手段と、前記外線情報データから前記受信した着信先番号に対応づけられているシステム番号を検索する検索手段と、前記問い合わせの要求による通信が切断されたあとで、前記内線電話に前記検索されたシステム番号を含む情報を発信元番号として着信すべく送信する送信手段と、を備えることを特徴とする。
【手続補正７】
【補正対象書類名】明細書
【補正対象項目名】００１６
【補正方法】変更
【補正の内容】
【００１６】
また、前記内線電話から前記問い合わせの要求による通信を終了する指示を受け付ける受付手段をさらに備え、前記受け付けた指示に応じて、前記問い合わせの要求による通信を切断することを特徴とする。
また、前記内線電話により前記送信手段により送信された着信に対する応答がなされたあとで、前記送信された着信による通信を切断する切断手段をさらに備えることを特徴とする。
【手続補正８】
【補正対象書類名】明細書
【補正対象項目名】００１７
【補正方法】変更
【補正の内容】
【００１７】
また、前記内線電話により前記送信手段により送信された着信に対する応答がなされたあとで、前記受信した着信先番号に着信するべく要求する着信要求手段をさらに備えることを特徴とする。
【手続補正９】
【補正対象書類名】明細書
【補正対象項目名】００１８
【補正方法】変更
【補正の内容】
【００１８】
また、前記問い合わせの要求による通信の切断を促すための音声を再生する音声再生手段をさらに備えることを特徴とする請求項１乃至請求項４のいずれか１項に記載の電話番号処理装置。
【手続補正１０】
【補正対象書類名】明細書
【補正対象項目名】００１９
【補正方法】変更
【補正の内容】
【００１９】
本発明により、内線の電話網の利用者が、外線の電話網に発信するためのシステム番号を問い合わせすると、問い合わせ元である内線の電話網の利用者の内線電話が問い合わせしたシステム番号を受信できる仕組みを提供する事が可能となる。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
ＰフレームとＩフレームとを含む動画像の符号化情報のビットストリームを受け取る段階と、
これから復号化するフレームがＰフレームの場合は、前記符号化情報から取り出された動きベクトル情報と、既に復号化したフレームの復号画像とを用いて、前記これから復号化するフレームの予測画像を合成する動き補償を行う段階とを有し、
前記動き補償を行う段階は、前記復号画像で画素の存在しない点の強度値を内挿演算で求める段階を含み、
前記これから復号化するフレームがＰフレームの場合は、前記符号化情報に含まれる該Ｐフレームに関する符号化情報から取り出された、前記内挿演算で用いる丸め込み方法がプラスの丸め込み或いはマイナスの丸め込みのいずれかであることを特定する情報に従って前記内挿演算を行い、
前記丸めこみ方法を特定する情報は1ビットからなり、
前記丸めこみ方法を特定する情報は、プラスの丸めこみを指定する場合とマイナスの丸めこみを指定する場合とでは値が異なることを特徴とする動画像の復号化方法。
【手続補正２】
【補正対象書類名】明細書
【補正対象項目名】発明の名称
【補正方法】変更
【補正の内容】
【発明の名称】動画像の復号化方法